(57)【要約】      （修正有）【課題】放熱効率の改善を図るハウジング、ハウジング付き投影装置、及びその製造方法の提供する。【解決手段】排気口２ｂ、及び吸気口２ｃを備えた投影装置２を収納するハウジングにおいて、熱交換ファン４と、第１の仕切り３とを備える。ハウジングは、気体が投影装置２の排気口２ｂから吸気口２ｃへ流れる流路Ｒ１を含む。熱交換ファン４は、ハウジングの内壁面、かつ、流路Ｒ１における排気口２ｂ側に配置される。第１の仕切り３は、投影装置２の外壁面における流路Ｒ１の外側における熱交換ファン４側に配置され、投影装置２の外壁面と、ハウジングの内壁面とを接続している。第１の仕切り３は、気体が投影装置２の前面側に流れないように仕切る。【選択図】図２
2020126099.tif 000002
【特許請求の範囲】
【請求項１】
排気口、及び吸気口を備えた投影装置を収納するハウジングにおいて、
熱交換ファンと、
第１の仕切りと、を備え、
前記ハウジングは、気体が前記投影装置の前記排気口から前記吸気口へ流れる流路を含み、
熱交換ファンは、前記ハウジングの内壁面、かつ、前記流路における前記排気口側に配置され、
前記第１の仕切りは、前記流路の外側における熱交換ファン側に配置され、かつ、前記投影装置の外壁面と、前記ハウジングの内壁面とを接続しており、
前記第１の仕切りは、前記気体が前記投影装置の前面側に流れないように仕切る、
ハウジング。
【請求項２】
前記流路内に設けられ、かつ、前記流路の一部を遮る第２の仕切りをさらに備え、
前記第２の仕切りは、前記投影装置との間には前記流路を設けず、前記ハウジングの内壁との間に前記流路を設けるように、前記流路の一部を仕切る、
ことを特徴とする請求項１に記載のハウジング。
【請求項３】
前記流路内に設けられ、かつ、前記流路の一部を遮る第３の仕切りをさらに備え、
前記第３の仕切りは、前記第１の仕切りと前記第２の仕切りとの間に配置され、前記投影装置との間に前記流路を設けるように前記流路の一部を仕切る、
ことを特徴とする請求項２に記載のハウジング。
【請求項４】
前記第１の仕切りは、前記投影装置の外壁面に沿って、前記排気口側を通過して前記第２の仕切りまで延びる板状部を備える、
ことを特徴とする請求項２又は３のいずれかに記載のハウジング。
【請求項５】
前記熱交換ファンを複数備え、
前記熱交換ファンは、前記排気口と前記第３の仕切りとの間であって前記ハウジングの背面、底面、側面、及び上面の少なくとも１つに設けられている、
ことを特徴とする請求項３、又は、請求項３に従属する請求項４のいずれかに記載のハウジング。
【請求項６】
前記ハウジングの背面、底面、及び側面の少なくとも１つにおいて、前記排気口と前記第２の仕切りとの間に設けられている外側熱伝導部材をさらに備える、
ことを特徴とする請求項２〜５のいずれか１項に記載のハウジング。
【請求項７】
上側熱伝導部材、及び下側熱伝導部材の少なくとも１つを備え、
前記上側熱伝導部材は、前記投影装置の上面と前記ハウジングの天井面とを機械的に接続し、
前記下側熱伝導部材は、前記投影装置の底面と前記ハウジングの床面とを機械的に接続する、
ことを特徴とする請求項１〜６のいずれか１項に記載のハウジング。
【請求項８】
前記投影装置は、上下反転して、前記ハウジング内に配置されている、ことを特徴とする請求項１〜７のいずれか１項に記載のハウジング。
【発明の詳細な説明】
【技術分野】
【０００１】
本発明はハウジング、ハウジング付き投影装置、及びその製造方法に関し、特に、熱化交換ファンを備えるハウジング、ハウジング付き投影装置、及びその製造方法に関する。
【背景技術】
【０００２】
特許文献１に開示の投影装置用ケースは、投影装置を覆うケース本体を備える。仕切り部及び排気ファンが、ケース本体内に設けられている。排気ファンが、投影装置の排気口からの排気をケース本体の外部へ排出して、ケース本体の内部から放熱する。
【先行技術文献】
【特許文献】
【０００３】
【特許文献１】特開２０１５−０３６７８９号公報
【発明の概要】
【発明が解決しようとする課題】
【０００４】
ところで、ケース本体を密閉するため、排気ファンではなく熱交換ファンをケース本体内に設けた投影装置用ケースがある。上記した投影装置用ケースでは、投影装置をさらに効率良く放熱することが要求されている。
【０００５】
本開示の目的は、放熱効率の改善を図ることである。
【課題を解決するための手段】
【０００６】
本開示の実施の形態の第１の態様にかかるハウジングは、
排気口、及び吸気口を備えた投影装置を収納し、
前記ハウジングは、
熱交換ファンと、
第１の仕切りと、を備え、
前記ハウジングは、気体が前記投影装置の前記排気口から前記吸気口へ流れる流路を含み、
熱交換ファンは、前記ハウジングの内壁面、かつ、前記流路における前記排気口側に配置され、
前記第１の仕切りは、前記流路の外側における熱交換ファン側に配置され、かつ、前記投影装置の外壁面と、前記ハウジングの内壁面とを接続しており、
前記第１の仕切りは、前記気体が前記投影装置の前面側に流れないように仕切る。
【発明の効果】
【０００７】
本開示の目的は、放熱効率の改善を図ることである。
【図面の簡単な説明】
【０００８】
【図１】実施の形態１に係るハウジング付き投影装置の斜視図である。
【図２】実施の形態１に係るハウジング付き投影装置の構成を示す横断面図である。
【図３】実施の形態２に係るハウジング付き投影装置の構成を示す横断面図である。
【図４】実施の形態３に係るハウジング付き投影装置の構成を示す一部切り取り横断面図である。
【図５】実施の形態３に係るハウジング付き投影装置の構成を示す縦断面図である。
【図６】実施の形態４に係るハウジング付き投影装置の斜視図である。
【図７】実施の形態４に係るハウジング付き投影装置の構成を示す一部切り取り断面図である。
【図８】実施の形態４に係るハウジング付き投影装置の構成を示す縦断面図である。
【図９】実施例１の温度分布図である。
【図１０】比較例１の構成を示す横断面図である。
【図１１】比較例１の温度分布図である。
【発明を実施するための形態】
【０００９】
以下、本発明を適用した具体的な実施形態について、図面を参照しながら詳細に説明する。ただし、本発明が以下の実施形態に限定される訳ではない。また、説明を明確にするため、以下の記載及び図面は、適宜、簡略化されている。
【００１０】
（実施の形態１）
以下、図１及び図２を参照して実施の形態１について説明する。図１は、実施の形態１に係るハウジング付き投影装置の斜視図である。図２は、実施の形態１に係るハウジング付き投影装置の構成を示す横断面図である。
【００１１】
なお、当然のことながら、図１及びその他の図面に示した右手系ｘｙｚ座標は、構成要素の位置関係を説明するための便宜的なものである。通常、ｚ軸プラス向きが鉛直上向き、ｘ軸プラス向きが前方、ｘ軸マイナス向きが後方、ｙ軸プラス向きが左向き、ｙ軸マイナス向きが右向き、ｘｙ平面が水平面であり、図面間で共通である。
【００１２】
図１及び図２に示すように、ハウジング付き投影装置１００は、ハウジング１と、投影装置２と、第１の仕切り３と、熱交換ファン４とを備える。
【００１３】
ハウジング１は、投影装置２を、取出し可能に収納して密閉することができる構造を有するとよい。ハウジング１の密閉性は、ハウジング１に配置される環境や投影装置２に応じて、投影装置２を保護することができるように、適宜設定するとよい。ハウジング１は、防塵性を有するとよい。ハウジング１は、例えば、略直方体状であればよく、底面１ａと、左側面１ｂと、正面１ｃと、右側面１ｄと、背面１ｅと、上面１ｆとを有する。正面１ｃとには、開口窓１ｇが設けられている。開口窓１ｇは、投影装置２の投影光Ｌ１が通過可能な材料からなる。
【００１４】
図２に示すように、投影装置２は、ハウジング１の内部に配置されている。具体的には、投影装置２は、ハウジング１の内壁面から所定の間隔を空けて配置されているとよい。
【００１５】
投影装置２は、例えば、略直方体であるとよく、上面２ｄ、及び背面２ｆを備える。投影装置２は、投射部２ａ、排気口２ｂ、及び吸気口２ｃを備える。投射部２ａは、ハウジング１の開口窓１ｇと対向するように配置されている。排気口２ｂは、ハウジング１の左側面１ｂに対応する内壁面と対向するように配置されている。吸気口２ｃは、ハウジング１の右側面１ｄに対応する内壁面と対向するように配置されている。上面２ｄは、ハウジング１の上面１ｆに対応する天井面と対向するように配置されている。投影装置２は、稼働させると、投射部２ａから投影光Ｌ１を発する。
【００１６】
また、投影装置２は、ハウジング１の内側に含まれる気体を吸気口２ｃから適宜、投影装置２に吸気する。投影装置２は、この吸気した気体を投影装置２内に流し、投影装置２から熱を奪い、冷却する。そして、投影装置２は、この吸気した気体を排気口２ｂから投影装置２の外側へ排気する。
【００１７】
ハウジング１は、気体が投影装置２の排気口２ｂから吸気口２ｃへ流れる流路Ｒ１を含む。流路Ｒ１は、排気口２ｂから投影装置２の背面２ｆ側を経由して吸気口２ｃへ延びる空間である。流路Ｒ１の外側Ｒ２は、ハウジング１の内側において、排気口２ｂから投影装置２の投射部２ａ側を経由して吸気口２ｃへ延びる空間である。
【００１８】
第１の仕切り３は、ハウジング１において、流路Ｒ１と流路Ｒ１の外側Ｒ２とを仕切る。具体的には、第１の仕切り３は、気体が投影装置２の前面側に流れないように仕切る。第１の仕切り３は、第１の仕切り３は、流路Ｒ１の外側Ｒ２における熱交換ファン４側に配置される。第１の仕切り３は、投影装置２の外壁面とハウジング１の内壁面とを機械的に接続する。第１の仕切り３は、ハウジング１の底面１ａと上面１ｆとを機械的に接続するとよい。
【００１９】
熱交換ファン４は、ハウジング１の内壁面における流路Ｒ１側に配置される。さらに、熱交換ファン４は、流路Ｒ１における排気口２ｂ側に配置される。熱交換ファン４は、ハウジング１の内側の熱を外側に放熱する。熱交換ファン４が稼働すると、熱が方向ＨＰ１に流れて、ハウジング１の外側へ移動する。
【００２０】
ここで、投影装置２を稼働させる。すると、投影装置２は、投射部２ａから投影光Ｌ１を発し、投影光Ｌ１は、開口窓１ｇを通過し、ハウジング付き投影装置１００の外部へ出て、被投影体に到達する。被投影体は、投影光Ｌ１による映像を示す。
【００２１】
投影装置２は発熱する。また、投影装置２は、ハウジング１の内側に含まれる気体を吸気口２ｃから吸気し、排気口２ｂから排出する。排気口２ｂから排出した排気は、流路Ｒ１を方向ＦＰ１に沿って流れる。第１の仕切り３がハウジング１において、流路Ｒ１と流路Ｒ１の外側Ｒ２とを仕切るため、この排気は、排気口２ｂから、殆ど外側Ｒ２へ流入しない。そのため、外側Ｒ２における温度が過剰に上昇することが無く、投影光Ｌ１に温度上昇による影響を殆ど与えない。また、熱交換ファン４が流路Ｒ１における排気口２ｂ側に配置されており、この排気の熱をハウジング１の外側へ移動させることができる。
【００２２】
以上より、ハウジング付き投影装置１００の構成によれば、第１の仕切り３によって排気を投影装置２から所定の方向に流しつつ、熱交換ファン４により集中的にハウジング１の外側に放熱することができる。従って、ハウジング１が密閉されていても、投影装置２が発生する熱をハウジング１の外側に放熱することができる。すなわち、放熱効率の改善を図ることができる。
【００２３】
また、第１の仕切り３がハウジング１の床面１ａａと上面１ｆとを機械的に接続する場合、ハウジング１の底面１ａと上面１ｆとへ熱の移動を促進する。これによって、さらに放熱効率の改善を図ることができる。
【００２４】
（実施の形態２）
以下、図３を参照して実施の形態２について説明する。図３は、実施の形態２に係るハウジング付き投影装置の構成を示す横断面図である。実施の形態２にかかるハウジング付き投影装置２００は、仕切りと、熱交換ファンとを除いて、図１及び図２に示すハウジング付き投影装置１００と同じ構成を備える。ハウジング付き投影装置１００と異なる構成について説明する。
【００２５】
ハウジング付き投影装置２００は、第３の仕切り３１と、第２の仕切り３２と、第４の仕切り３３と、熱交換ファン４１、４２、４３とを備える。なお、ハウジング付き投影装置２００は、第３の仕切り３１と、第２の仕切り３２と、第４の仕切り３３と、熱交換ファン４１、４２、４３との少なくとも１つを備えてもよい。
【００２６】
第３の仕切り３１は、流路Ｒ１内に設けられ、かつ、流路Ｒ１の一部を遮る。第１の仕切り３、及び第３の仕切り３１は、投影装置２の排気口２ｂ及び熱交換ファン４を挟む。第３の仕切り３１は、流路Ｒ１の一部を仕切る。具体的には、第３の仕切り３１は、ハウジング１の背面１ｅから投影装置２の背面２ｆ側へと突き出る。第３の仕切り３１は、第１の仕切り３と第２の仕切り３２との間に配置され、投影装置２との間に流路Ｒ１を設けるように流路Ｒ１の一部を仕切る。
【００２７】
第２の仕切り３２は、流路Ｒ１内に設けられ、かつ、流路Ｒ１の一部を遮る。第２の仕切り３２は、第３の仕切り３１と吸気口２ｃとの間に配置される。第２の仕切り３２は、投影装置２との間には流路Ｒ１を設けず、ハウジング１の内壁との間に流路Ｒ１を設けるように、流路Ｒ１の一部を仕切る。
【００２８】
第３の仕切り３１の先端は、投影装置２の背面２ｆから離隔し、第２の仕切り３２は、投影装置２の外壁面から離隔する。なお、第３の仕切り３１は、投影装置２の外壁面及びハウジング１の内壁面の一方から離隔し、第２の仕切り３２は、投影装置２の外壁面及びハウジング１の内壁面の他方から離隔しているとよい。
【００２９】
ハウジング付き投影装置２００は、第３の仕切り３１と、第２の仕切り３２と同じ構成の仕切りをさらに備えてもよく、当該仕切りは、第３の仕切り３１と、第２の仕切り３２と同様に配置されているとよい。このように当該仕切りを配置すると、流路Ｒ１は、Ｓ字状に曲がる部位が形成されている。
【００３０】
第４の仕切り３３は、投影装置２の外壁面に沿って第１の仕切り３から排気口２ｂ側を通過して第２の仕切り３２まで延びる板状体である。第４の仕切り３３は第１の仕切り３と第２の仕切り３２と連続してもよい。第４の仕切り３３は、排気口２ｂからの排気を通過させる通過孔を備えるとよい。
【００３１】
熱交換ファン４１は、ハウジング１の背面１ｅに設けられている。熱交換ファン４２は、ハウジング１の床面１ａａに設けられている。熱交換ファン４１、４２は、排気口２ｂと第３の仕切り３１との間に設けられている。熱交換ファン４１は、ハウジング１の内側の熱を外側に放熱する。熱交換ファン４１が稼働すると、熱が方向ＨＰ２に流れて、ハウジング１の内側から外側へ移動する。熱交換ファン４２が稼働すると、熱が下方（ここでは、Ｚ軸マイナス側）に流れて、ハウジング１の内側から外側へ移動する。
【００３２】
熱交換ファン４３は、ハウジング１の左側面１ｂに設けられている。熱交換ファン４３は、吸気口２ｃと対向するように設けられている。熱交換ファン４３は、ハウジング１の内側の熱を外側に放熱する。熱交換ファン４３が稼働すると、吸気口２ｃ近傍における気体の熱が方向ＨＰ３に流れて、ハウジング１の内側から外側へ移動する。なお、熱交換ファン４１、４２、４３は、ハウジング１の上面１ｆに設けられていてもよい。
【００３３】
ここで、投影装置２を稼働させる。すると、投影装置２は、投射部２ａから投影光Ｌ１を発し、投影光Ｌ１は、開口窓１ｇを通過し、ハウジング付き投影装置２００の外部へ出て、被投影体に到達する。被投影体は、投影光Ｌ１による映像を示す。
【００３４】
投影装置２は発熱する。また、投影装置２は、ハウジング１の内側に含まれる気体を吸気口２ｃから吸気し、排気口２ｂから排出する。排気口２ｂから排出した排気は、流路Ｒ１を方向ＦＰ２に沿って流れる。第１の仕切り３がハウジング１において、流路Ｒ１と流路Ｒ１の外側Ｒ２とを仕切るため、この排気は、排気口２ｂから、殆ど外側Ｒ２へ流入しない。そのため、外側Ｒ２における温度が過剰に上昇することが無く、投影光Ｌ１に温度上昇による影響を殆ど与えない。
【００３５】
さらに、第３の仕切り３１、第２の仕切り３２が流路Ｒ１の一部を仕切る。そのため、排気は、第３の仕切り３１、第２の仕切り３２を通過するため、迂回して流れる。ハウジング付き投影装置２００における排気は、図１及び図２に示すハウジング付き投影装置１００における排気と比較して、流路Ｒ１における第１の仕切り３と第３の仕切り３１との間に滞留しやすい。
【００３６】
また、熱交換ファン４、４１、４２が流路Ｒ１における排気口２ｂ側に配置されている。ハウジング付き投影装置２００は、ハウジング付き投影装置１００と比較して、熱交換ファンを多く備える。また、熱交換ファン４、４１、４２が、流路Ｒ１における第１の仕切り３と第３の仕切り３１との間において、ハウジング１の右側面１ｄ、背面１ｅ、底面１ａにそれぞれ設けられている。
【００３７】
以上より、ハウジング付き投影装置２００の構成によれば、第１の仕切り３、第３の仕切り３１、第２の仕切り３２によって排気を流路Ｒ１における第１の仕切り３と第３の仕切り３１との間に滞留させる。また、熱交換ファン４、４１、４２が、流路Ｒ１における第１の仕切り３と第３の仕切り３１との間に滞留した排気から、集中的にハウジング１の外側に放熱することができる。従って、ハウジング１が密閉されていても、投影装置２が発生する熱をハウジング１の外側に放熱することができる。また、ハウジング付き投影装置２００は、ハウジング付き投影装置１００と比較して、ハウジング１の外側に高い効率で放熱させることができる。
【００３８】
（実施の形態３）
以下、図４及び図５を参照して実施の形態３について説明する。図４は、実施の形態３に係るハウジング付き投影装置の構成を示す一部切り取り横断面図である。図５は、実施の形態３に係るハウジング付き投影装置の構成を示す縦断面図である。実施の形態３にかかるハウジング付き投影装置３００は、熱伝導部材を除いて、図３に示すハウジング付き投影装置２００と同じ構成を備える。ハウジング付き投影装置２００と異なる構成について説明する。
【００３９】
図４及び図５に示すように、ハウジング付き投影装置２００は、上側熱伝導部材５１と、下側熱伝導部材５２と、熱伝導部材６１、６２、６３とを備える。なお。ハウジング付き投影装置２００は、上側熱伝導部材５１と、下側熱伝導部材５２と、熱伝導部材６１、６２、６３とのうち、少なくとも１つを備えてもよい。上側熱伝導部材５１と、下側熱伝導部材５２と、熱伝導部材６１、６２、６３とは、多種多様な形状であってもよい。上側熱伝導部材５１と、下側熱伝導部材５２と、熱伝導部材６１、６２、６３とは、例えば、断面Ｌ字形状アングル、フィン状、ヒートシンク状、ブロック状等である。
【００４０】
上側熱伝導部材５１は、投影装置２の上面２ｄに設けられている。上面２ｄは、曲面を備えることが多い。上面２ｄは、曲面を備えることによって、投影装置２の意匠性の自由度を高めることができてよい。上面２ｄは、曲面を備える場合、上側熱伝導部材５１は、当該曲面に倣うように、バネ状体であってもよい。上側熱伝導部材５１は、投影装置２の上面２ｄとハウジング１の天井面１ｆａとを機械的に接続する。上側熱伝導部材５１は、投影装置２の発生する熱を方向ＨＰ４１へ移動させ、ハウジング１の上面１ｆを通過させる。上側熱伝導部材５１は、投影装置２の冷却を促進する。
【００４１】
図５に示すように、下側熱伝導部材５２は、投影装置２の底面２ｅに設けられている。底面２ｅは、平面を備えることが多い。底面２ｅは、平面を備える場合、下側熱伝導部材５２は、ブロック状体であってもよい。下側熱伝導部材５２は、投影装置２の底面２ｅとハウジング１の床面１ａａとを機械的に接続する。下側熱伝導部材５２は、投影装置２の発生する熱を方向ＨＰ４２へ移動させ、ハウジング１の底面１ａを通過させる。下側熱伝導部材５２は、投影装置２の冷却を促進する。
【００４２】
上面２ｄが曲面を備えつつ底面２ｅが平面を備える場合、上面２ｄと上側熱伝導部材５１との接触面積は、底面２ｅと下側熱伝導部材５２との接触面積と比較して低い傾向にある。そのため、このような場合、底面２ｅからの放熱量は、上面２ｄからの放熱量よりも大きい。
【００４３】
熱伝導部材６１は、ハウジング１の右側面１ｄに設けられている。具体的には、熱伝導部材６１は、右側面１ｄにおいて、排気口２ｂと第３の仕切り３１との間に設けられている。熱伝導部材６１は、ハウジング１の右側面１ｄの熱をさらに放熱させて、投影装置２の冷却を促進する。
【００４４】
熱伝導部材６２は、投影装置２の背面２ｆに沿って延びる板状体である。具体的には、熱伝導部材６２は、第４の仕切り３３と第３の仕切り３１との間に配置される。熱伝導部材６２は、投影装置２の背面２ｆから、さらに放熱させて、投影装置２の冷却を促進する。
【００４５】
熱伝導部材６３は、ハウジング１の上面１ｆに設けられている。具体的には、熱伝導部材６３は、上面１ｆにおいて第３の仕切り３１と第２の仕切り３２との間に設けられている。熱伝導部材６３は、ハウジング１の上面１ｆから、さらに放熱させて、投影装置２の冷却を促進する。
【００４６】
ここで、投影装置２を稼働させる。すると、投影装置２は、投射部２ａから投影光Ｌ１を発し、投影光Ｌ１は、開口窓１ｇを通過し、ハウジング付き投影装置３００の外部へ出て、被投影体に到達する。被投影体は、投影光Ｌ１による映像を示す。
【００４７】
投影装置２は発熱する。また、投影装置２は、ハウジング１の内側に含まれる気体を吸気口２ｃから吸気し、排気口２ｂから排出する。排気口２ｂから排出した排気は、ハウジング付き投影装置２００と同様に、流路Ｒ１を方向ＦＰ２に沿って流れる。よって、ハウジング付き投影装置３００における排気は、図１及び図２に示すハウジング付き投影装置１００における排気と比較して、流路Ｒ１における第１の仕切り３と第３の仕切り３１との間に滞留しやすい。
【００４８】
また、熱交換ファン４、４１、４２が、ハウジング付き投影装置２００と同様に、流路Ｒ１における排気口２ｂ側に配置されている。ハウジング付き投影装置３００は、ハウジング付き投影装置１００と比較して、熱交換ファンを多く備える。また、熱交換ファン４、４１、４２が、流路Ｒ１における第１の仕切り３と第３の仕切り３１との間において、ハウジング１の右側面１ｄ、背面１ｅ、底面１ａにそれぞれ設けられている。
【００４９】
さらに、ハウジング付き投影装置３００は、ハウジング付き投影装置２００と異なり、上側熱伝導部材５１と、下側熱伝導部材５２と、熱伝導部材６１、６２、６３とを備える。
【００５０】
上側熱伝導部材５１と、下側熱伝導部材５２とは、投影装置２の上下方向への放熱を促進する。熱伝導部材６１は、ハウジング１の右側面１ｄの熱をさらに放熱させる。熱伝導部材６２は、投影装置２の背面２ｆの熱をさらに放熱させる。熱伝導部材６３は、ハウジング１の上面１ｆの熱をさらに放熱させる。これらによって、投影装置２の冷却を促進する。
【００５１】
以上より、ハウジング付き投影装置３００の構成によれば、上側熱伝導部材５１と、下側熱伝導部材５２と、熱伝導部材６１、６２、６３とがそれぞれ投影装置２の放熱を促進する。よって、また、ハウジング付き投影装置３００は、ハウジング付き投影装置２００と比較して、投影装置２の発生する熱を、ハウジング１の外側に高い効率で放熱させることができる。
【００５２】
（実施の形態４）
以下、図６〜図８を参照して実施の形態４について説明する。図６は、実施の形態４に係るハウジング付き投影装置の斜視図である。図７は、実施の形態４に係るハウジング付き投影装置の構成を示す一部切り取り断面図である。図８は、実施の形態４に係るハウジング付き投影装置の構成を示す縦断面図である。
【００５３】
図６に示すように、ハウジング付き投影装置４００は、送風機Ｃ１０の近傍に配置されて使用されてもよい。ハウジング付き投影装置４００は、送風機Ｃ１０が風Ｃ１を送ると、風Ｃ１がハウジング１の上面１ｆに当たるような位置に配置して、利用してもよい。また、ハウジング付き投影装置４００は、送風機Ｃ１０が無くとも、自然発生した風Ｃ１がハウジング１の上面１ｆに当たるような環境に配置して、利用してもよい。風Ｃ１を構成する気体は、多種多様な気体であってもよく、例えば、空気である。
【００５４】
図７及び図８に示すように、ハウジング付き投影装置４００は、図４及び５に示すハウジング付き投影装置３００の構成が、ハウジング１を除いて、左右反転した構成を備える。つまり、投影装置２、第１の仕切り３、第３の仕切り３１、第２の仕切り３２、第４の仕切り３３、熱交換ファン４、４１、４２、４３、上側熱伝導部材５１、下側熱伝導部材５２、熱伝導部材６１、６２、６３は、ハウジング付き投影装置３００をハウジング１において左右反転し、かつ、上下反転している。よって、投影装置２の上面２ｄ、底面２ｅ、上側熱伝導部材５１、及び下側熱伝導部材５２等は、その名称が示す位置と、その構成が配置された位置とが異なることに留意する。投影装置２、熱交換ファン４、４１、４２、４３は、左右反転し、かつ、上下反転しても、所望の動作をするよう適宜設定を変更するとよい。ハウジング付き投影装置４００において、投影装置２は、上下反転して、ハウジング１内に配置されていればよい。
【００５５】
投影装置２の上面２ｄは、ハウジング１の床面１ａａと対向している。投影装置２の底面２ｅは、ハウジング１の天井面１ｆａと対向する。上面２ｄは、底面２ｅよりも下方に位置する。
【００５６】
上側熱伝導部材５１は、投影装置２の上面２ｄとハウジング１の床面１ａａとを機械的に接続する。上側熱伝導部材５１は、投影装置２の発生する熱を方向ＨＰ５１へ移動させ、ハウジング１の底面１ａを通過させる。上側熱伝導部材５１は、投影装置２の放熱を促進する。
【００５７】
下側熱伝導部材５２は、投影装置２の底面２ｅとハウジング１の天井面１ｆａとを機械的に接続する。下側熱伝導部材５２は、投影装置２の発生する熱を方向ＨＰ５２へ移動させ、ハウジング１の上面１ｆを通過させる。下側熱伝導部材５２は、投影装置２の放熱を促進する。投影装置２の発生する熱はハウジング１の上面１ｆを通過した後、上面１ｆ近傍の気体に伝達する。風Ｃ１が上面１ｆ近傍に送られるため、上面１ｆ近傍の気体は、常時入れ替えられている。よって、ハウジング１の上面１ｆは、強制的に冷却されている。投影装置２の発生する熱は、下側熱伝導部材５２、及びハウジング１の上面１ｆを通過させて、高い効率で放熱させることができる。
【００５８】
また、上面２ｄが曲面を備えつつ底面２ｅが平面を備える場合、底面２ｅからの放熱量は、上面２ｄからの放熱量よりも大きい。ハウジング１の上面１ｆは、強制的に冷却されている。
【００５９】
ここで、投影装置２を稼働させる。すると、投影装置２は、投射部２ａから投影光Ｌ１を発し、投影光Ｌ１は、開口窓１ｇを通過し、ハウジング付き投影装置４００の外部へ出て、被投影体に到達する。被投影体は、投影光Ｌ１による映像を示す。
【００６０】
投影装置２は発熱する。また、投影装置２は、ハウジング１の内側に含まれる気体を吸気口２ｃから吸気し、排気口２ｂから排出する。排気口２ｂから排出した排気は、ハウジング付き投影装置３００と同様に、流路Ｒ１を方向ＦＰ２に沿って流れる。よって、ハウジング付き投影装置４００における排気は、図１及び図２に示すハウジング付き投影装置１００における排気と比較して、流路Ｒ１における第１の仕切り３と第３の仕切り３１との間に滞留しやすい。
【００６１】
また、熱交換ファン４、４１、４２が、ハウジング付き投影装置２００と同様に、流路Ｒ１における排気口２ｂ側に配置されている。ハウジング付き投影装置４００は、ハウジング付き投影装置１００と比較して、熱交換ファンを多く備える。また、熱交換ファン４、４１、４２が、流路Ｒ１における第１の仕切り３と第３の仕切り３１との間において、ハウジング１の右側面１ｄ、背面１ｅ、底面１ａにそれぞれ設けられている。
【００６２】
また、ハウジング付き投影装置４００は、ハウジング付き投影装置３００と同様に、上側熱伝導部材５１と、下側熱伝導部材５２と、熱伝導部材６１、６２、６３とを備える。
【００６３】
上側熱伝導部材５１と、下側熱伝導部材５２とは、投影装置２の上下方向への放熱を促進する。熱伝導部材６１は、ハウジング１の左側面１ｂの熱をさらに放熱させて、熱伝導部材６２は、投影装置２の背面２ｆの熱をさらに放熱させて、熱伝導部材６３は、ハウジング１の上面１ｆの熱をさらに放熱させる。これらによって、投影装置２の冷却を促進する。
【００６４】
さらに、ハウジング付き投影装置４００は、ハウジング付き投影装置３００と異なり、投影装置２が左右反転、かつ、上下反転している。ハウジング１の上面１ｆは、強制的に冷却されている。
【００６５】
以上より、ハウジング付き投影装置４００の構成によれば、投影装置２が左右反転、かつ、上下反転している。ハウジング１の上面１ｆは、強制的に冷却されている。よって、ハウジング付き投影装置４００は、ハウジング付き投影装置３００と比較して、投影装置２の発生する熱を、ハウジング１の外側に高い効率で放熱させることができる。
【００６６】
（実施例）
次に、図３に示すハウジング付き投影装置２００と同じ構成のハウジング付き投影装置の温度分布を解析した結果の一例について説明する。
【００６７】
実施例１では、所定の条件を定めた後、温度分布を求めて、その結果を図９に示した。温度は、値１〜５の５段階で記載した。
【００６８】
なお、比較例１では、図１０に示すハウジング付き投影装置９００と同じ構成のハウジング付き投影装置の温度分布を求めて、その結果を図１１に示した。ハウジング付き投影装置９００は、第１の仕切り３、第３の仕切り３１、第２の仕切り３２、第４の仕切り３３と、熱交換ファン４、４１、４２、４３とを備えないところを除いて、ハウジング付き投影装置２００と同じ構成を備える。
【００６９】
図１１に示すように、比較例１では、投影装置２の殆どは、温度値５を示す。投影装置２の外縁とハウジング１の内壁面と間の領域は、温度値２〜５を示し、ハウジング１の外側領域は、温度値１であった。
【００７０】
図９に示すように、実施例１では、投影装置２の殆どは、温度値３〜５を示す。流路Ｒ１において第１の仕切り３と第３の仕切り３１との間の領域は、温度値３を示す。これら以外の投影装置２の外縁とハウジング１の内壁面と間の領域は、温度値２を示し、ハウジング１の外側領域は、温度値１であった。
【００７１】
実施例１は、比較例１と比較して、ハウジング１の内側における温度が総じて低い。実施例１では、流路Ｒ１において第１の仕切り３と第３の仕切り３１との間において、投影装置２の排気口２ｂから排出された排気を滞留させる。熱交換ファン４、４１、４２が熱をその排気からハウジング１へ交換する。これによって、実施例１は、比較例１と比較して、投影装置２を効率良く放熱し、温度が低かったと推測される。
【００７２】
（製造方法）
また、ハウジング付き投影装置１００は、ハウジング１と投影装置２と他の構成とを組み立てて、製造してもよい。ハウジング付き投影装置１００について説明する。
【００７３】
まず、投影装置２をハウジング１に配置する（投影装置配置ステップＳＴ１）。ハウジング１は気体が投影装置２の排気口２ｂから吸気口２ｃへ流れる流路Ｒ１を含むように、投影装置２をハウジング１に配置するとよい。
【００７４】
続いて、熱交換ファン４等をハウジング１の内壁面、かつ、流路Ｒ１における排気口２ｂ側に配置する（熱交換ファン配置ステップＳＴ２）。
【００７５】
最後に、第１の仕切り３等をハウジング１に配置する（仕切り配置ステップＳＴ３）。第１の仕切り３が、ハウジング１に配置されると、流路Ｒ１の外側Ｒ２における熱交換ファン４側に配置され、かつ、投影装置２の外壁面と、ハウジング１の内壁面とを接続する。
【００７６】
以上より、ハウジング付き投影装置１００を製造することができる。上記したステップを含む製造方法を用いて、ハウジング付き投影装置２００、３００、４００を製造してもよい。
【００７７】
なお、本開示は上記実施の形態に限られたものではなく、趣旨を逸脱しない範囲で適宜変更することが可能である。例えば、趣旨を逸脱しない範囲で適宜変更することが可能である。例えば、第３の仕切り３１、第２の仕切り３２、第４の仕切り３３は、第１の仕切り３と同様に、ハウジング１の床面１ａａと上面１ｆとを機械的に接続してもよい。第１の仕切り３と同様に、ハウジング１の底面１ａと上面１ｆとへ熱の移動を促進する。これによって、さらに放熱効率の改善を図ることができる。また、本開示は、それぞれの実施の形態を適宜組み合わせて実施されてもよい。また、それぞれの実施の形態にかかるハウジング付き投影装置について一部の構成であってもよい。例えば、ハウジング付き投影装置１００、２００、３００、４００から投影装置２を除いた構成と同じ構成を実施してもよい。
【００７８】
また、上記の実施形態の一部又は全部は、以下の付記のようにも記載されうるが、以下には限られない。
（付記１）
排気口、及び吸気口を備えた投影装置を収納するハウジングにおいて、
熱交換ファンと、
第１の仕切りと、を備え、
前記ハウジングは、気体が前記投影装置の前記排気口から前記吸気口へ流れる流路を含み、
熱交換ファンは、前記ハウジングの内壁面、かつ、前記流路における前記排気口側に配置され、
前記第１の仕切りは、前記流路の外側における熱交換ファン側に配置され、かつ、前記投影装置の外壁面と、前記ハウジングの内壁面とを接続しており、
前記第１の仕切りは、前記気体が前記投影装置の前面側に流れないように仕切る、
ハウジング。
（付記２）
前記流路内に設けられ、かつ、前記流路の一部を遮る第２の仕切りをさらに備え、
前記第２の仕切りは、前記投影装置との間には前記流路を設けず、
前記ハウジングの内壁との間に前記流路を設けるように、前記流路の一部を仕切る、
ことを特徴とする付記１に記載のハウジング。
（付記３）
前記流路内に設けられ、かつ、前記流路の一部を遮る第３の仕切りをさらに備え、
前記第３の仕切りは、前記第１の仕切りと前記第２の仕切りとの間に配置され、前記投影装置との間に前記流路を設けるように前記流路の一部を仕切る、
ことを特徴とする付記２に記載のハウジング。
（付記４）
前記第１の仕切りは、前８記投影装置の外壁面に沿って、前記排気口側を通過して前記第２の仕切りまで延びる板状部を備える、
ことを特徴とする付記２又は３のいずれかに記載のハウジング。
（付記５）
前記熱交換ファンを複数備え、
前記熱交換ファンは、前記排気口と前記第３の仕切りとの間であって前記ハウジングの背面、底面、側面、及び上面の少なくとも１つに設けられている、
ことを特徴とする付記３、又は３に記載の４のいずれかに記載のハウジング。
（付記６）
前記ハウジングの背面、底面、及び側面の少なくとも１つにおいて、前記排気口と前記第２の仕切りとの間に設けられている外側熱伝導部材をさらに備える、
ことを特徴とする付記２〜５のいずれか１項に記載のハウジング。
（付記７）
上側熱伝導部材、及び下側熱伝導部材の少なくとも１つを備え、
前記上側熱伝導部材は、前記投影装置の上面と前記ハウジングの天井面とを機械的に接続し、
前記下側熱伝導部材は、前記投影装置の底面と前記ハウジングの床面とを機械的に接続する、
ことを特徴とする付記１〜６のいずれか１項に記載のハウジング。
（付記８）
前記投影装置は、上下反転して、前記ハウジング内に配置されている、ことを特徴とする付記１〜７のいずれか１項に記載のハウジング。
（付記９）
前記投影装置は、上面と、底面とを備え、
前記投影装置の上面は、前記ハウジングの床面と対向し、
前記投影装置の底面は、前記ハウジングの天井面と対向するように、前記ハウジング内に配置されている、
ことを特徴とする付記１〜８のいずれか１つに記載のハウジング。
（付記１０）
排気口、及び吸気口を備えた投影装置と、
当該投影装置を収納するハウジングと、を備え、
前記ハウジングは、
内壁面と、
流路と
熱交換ファンと、
第１の仕切りと、を備え、
前記投影装置を収納し、
前記流路は、気体が前記投影装置の前記排気口から前記吸気口へ流れ、
熱交換ファンは、前記内壁面、かつ、前記流路における前記排気口側に配置され、
前記第１の仕切りは、前記流路の外側における熱交換ファン側に配置され、かつ、前記投影装置の外壁面と、前記内壁面とを接続しており、
前記第１の仕切りは、前記流路の内側と外側とを仕切る、
ハウジング付き組立装置。
（付記１１）
排気口、及び吸気口を備えた投影装置をハウジングに配置するステップであって、前記ハウジングは気体が前記投影装置の前記排気口から前記吸気口へ流れる流路を含むステップと、
熱交換ファンを前記ハウジングの内壁面、かつ、前記流路における前記排気口側に配置するステップと、
第１の仕切りをハウジングに配置するステップであって、前記第１の仕切りが前記流路の外側における熱交換ファン側に配置され、かつ、前記投影装置の外壁面と、前記ハウジングの内壁面とを接続するステップと、を備える、
ハウジング付き投影装置の製造方法。
【符号の説明】
【００７９】
１００、２００、３００、４００  ハウジング付き投影装置
１  ハウジング
１ａ  底面                              １ａａ  床面
１ｂ  左側面                            １ｃ  正面
１ｄ  右側面                            １ｅ  背面
１ｆ  上面                              １ｆａ  天井面
１ｇ  開口窓
２  投影装置
２ｂ  排気口                            ２ｃ  吸気口
２ｄ  上面                              ２ｅ  底面
２ｆ  背面
３、３１、３２、３３  仕切り            ４、４１、４２、４３  熱交換ファン
５１  上側熱伝導部材                    ５２  下側熱伝導部材
６１、６２、６３  熱伝導部材
Ｃ１０  送風機                          ＦＰ１、ＦＰ２  （気体が流れる）方向    
ＨＰ１、ＨＰ２、ＨＰ３、ＨＰ４１、ＨＰ４２、ＨＰ５１、ＨＰ５２  （熱の）移動方向
Ｌ１  投影光                      
Ｒ１  流路                              Ｒ２  流路Ｒ１の外側
ＳＴ１  投影装置配置ステップ            ＳＴ２  熱交換ファン配置ステップ
ＳＴ３  仕切り配置ステップ
【図１】
2020126099.tif 000003
【図２】
2020126099.tif 000004
【図３】
2020126099.tif 000005
【図４】
2020126099.tif 000006
【図５】
2020126099.tif 000007
【図６】
2020126099.tif 000008
【図７】
2020126099.tif 000009
【図８】
2020126099.tif 000010
【図９】
2020126099.tif 000011
【図１０】
2020126099.tif 000012
【図１１】
2020126099.tif 000013
【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
排気口、及び吸気口を備えた投影装置を収納するハウジングにおいて、
熱交換ファンと、
第１の仕切りと、を備え、
前記ハウジングは、気体が前記投影装置の前記排気口から前記吸気口へ流れる流路を含み、
熱交換ファンは、前記ハウジングの内壁面、かつ、前記流路における前記排気口側に配置され、
前記第１の仕切りは、前記流路の外側における熱交換ファン側に配置され、かつ、前記投影装置の外壁面と、前記ハウジングの内壁面とを接続しており、
前記第１の仕切りは、前記気体が前記投影装置の前面側に流れないように仕切る、
ハウジング。
【請求項２】
前記流路内に設けられ、かつ、前記流路の一部を遮る第２の仕切りをさらに備え、
前記第２の仕切りは、前記投影装置との間には前記流路を設けず、前記ハウジングの内壁との間に前記流路を設けるように、前記流路の一部を仕切る、
ことを特徴とする請求項１に記載のハウジング。
【請求項３】
前記流路内に設けられ、かつ、前記流路の一部を遮る第３の仕切りをさらに備え、
前記第３の仕切りは、前記第１の仕切りと前記第２の仕切りとの間に配置され、前記投影装置との間に前記流路を設けるように前記流路の一部を仕切る、
ことを特徴とする請求項２に記載のハウジング。
【請求項４】
前記第１の仕切りは、前記投影装置の外壁面に沿って、前記排気口側を通過して前記第２の仕切りまで延びる板状部を備える、
ことを特徴とする請求項２又は３のいずれかに記載のハウジング。
【請求項５】
前記熱交換ファンを複数備え、
前記熱交換ファンは、前記排気口と前記第３の仕切りとの間であって前記ハウジングの背面、底面、側面、及び上面の少なくとも１つに設けられている、
ことを特徴とする請求項３、又は、請求項３に従属する請求項４のいずれかに記載のハウジング。
【請求項６】
前記ハウジングの背面、底面、及び側面の少なくとも１つにおいて、前記排気口と前記第２の仕切りとの間に設けられている外側熱伝導部材をさらに備える、
ことを特徴とする請求項２〜５のいずれか１項に記載のハウジング。
【請求項７】
上側熱伝導部材、及び下側熱伝導部材の少なくとも１つを備え、
前記上側熱伝導部材は、前記投影装置の上面と前記ハウジングの天井面とを機械的に接続し、
前記下側熱伝導部材は、前記投影装置の底面と前記ハウジングの床面とを機械的に接続する、
ことを特徴とする請求項１〜６のいずれか１項に記載のハウジング。
【請求項８】
請求項１〜６のいずれか１項に記載のハウジングと、当該ハウジング内に配置されている前記投影装置とを含み、
前記投影装置の上面は曲面を備え、
前記投影装置の底面は平面を備え、
前記投影装置の底面からの放熱量が、前記投影装置の上面からの放熱量よりも大きく、
前記投影装置の上面が、前記ハウジングの床面と対向し、
前記投影装置の底面が、前記ハウジングの天井面と対向する、
ハウジング付き投影装置。